(57)【要約】【課題】外郭が板金で構成されたレンジフードにおいて、操作パネルや表示部に凹凸部分があると掃除のときに邪魔になる、または凹凸部分に汚れが残る、という課題がある。【解決手段】外郭１を板金で構成したレンジフードにおいて、外郭１の前面の一部に１枚の平板２で構成した操作パネル３を設け、操作パネル３の内部側に圧電スイッチ４を取付け、かつ、現在状態表示には表示部を使わず音声案内を用いることで、操作パネル３に汚れが残ることがなくなり掃除性を向上させることができる。【選択図】  図２
2016070626.tif 000002
【特許請求の範囲】
【請求項１】
下面に吸込口を設け、加熱調理器の上方に設置されるレンジフードであって、
外郭の略全体を金属板で構成し、
前記外郭の前面の一部に１枚の平板で構成した操作パネルを設け、
前記操作パネルの裏側に圧電素子を用いた操作スイッチを取り付け、
前記操作スイッチの操作入力と連動する音声発生装置を設けたレンジフード。
【請求項２】
現在の状態を知らせるために前記音声発生装置を動作させる第二のスイッチを備えたことを特徴とする請求項１記載のレンジフード。
【請求項３】
前記外郭の前面に、前記操作パネル以外の部分に運転状態を表示する表示部を設けた請求項１または２記載のレンジフード。
【発明の詳細な説明】
【技術分野】
【０００１】
本発明は、キッチンの空気中に含まれるゴミ、埃、ダニの死骸、油成分等をフィルタで除去し、清浄空気を屋外へ排出するレンジフードに関するものである。
【背景技術】
【０００２】
従来のレンジフードは図６に示すように、レンジフード本体１０１の前面に前面板１０２が取り付けられていて、その前面板１０２に操作スイッチ１０３が取り付けられている。
【０００３】
操作スイッチ１０３は図７に示すように、前面板１０２に形成した凹部の底面に窓孔を設け、同凹部底面の裏側と当板１０４との間に操作スイッチ１０３をはさんで固定し、操作スイッチ１０３を前記窓孔から外方へ臨ませたものである。
【０００４】
当板１０４はその中間部に操作スイッチ１０３の下部シート１０５を収容する段部が形成され、且つ上下両端部において前面板１０２裏面に着脱可能にネジ止めされている。
【０００５】
こうすることで操作スイッチが前面板より突出しなくなるため、前面板の掃除時に邪魔がなくなり掃除性が向上する、というものである。（例えば、特許文献１参照）。
【先行技術文献】
【特許文献】
【０００６】
【特許文献１】実開昭６１−１０４１３３号公報
【発明の概要】
【発明が解決しようとする課題】
【０００７】
このような従来のレンジフードでは、凸部がなくなり掃除の邪魔はなくなるが、操作スイッチ自体が凹部となるためそこに拭き残しの汚れが残る、という課題があった。
【０００８】
また、運転状態や停止などの現在状態を表す表示には通常は光源を用いるが、その光源の充電部を露出させないために光源を外郭の内側に配置する必要があり、外郭にはその光を通すための穴加工が必要となる。
【０００９】
そこで本発明では、操作スイッチとして操作パネルの裏側に圧電素子を用い、また状態表示には従来のように光源を用いず音声を利用する。
【００１０】
この構成により操作パネルの凹凸をなくすことでき、掃除性を向上させたレンジフードを提供することができる。
【課題を解決するための手段】
【００１１】
本発明のレンジフードは、
下面に吸込口を設け、加熱調理器の上方に設置されるレンジフードであって、
外郭の略全体を金属板で構成し、
前記外郭の前面の一部に１枚の平板で構成した操作パネルを設け、
前記操作パネルの裏側に圧電素子を用いた操作スイッチを取り付け、
前記操作スイッチの操作入力と連動する音声発生装置を設けたことを特徴としたものである。
【発明の効果】
【００１２】
スイッチには圧電素子を用い、状態表示には従来の光源を用いずに音声を利用することで操作パネルの表面をフラットにでき、掃除性を確保することができる。
【図面の簡単な説明】
【００１３】
【図１】本発明の実施の形態１のレンジフードの構造を示した概略図
【図２】同操作パネルの断面図
【図３】同現在状態案内スイッチを設けた構造を示した概略図
【図４】同表示部を設けた構造を示した概略図
【図５】同操作パネルの断面図
【図６】従来のレンジフードの概観図
【図７】従来のレンジフードのスイッチ部の断面図
【発明を実施するための形態】
【００１４】
本発明の請求項１記載のレンジフードは、
下面に吸込口を設け、加熱調理器の上方に設置されるレンジフードであって、
外郭の略全体を金属板で構成し、
前記外郭の前面の一部に１枚の平板で構成した操作パネルを設け、
前記操作パネルの裏側に圧電素子を用いた操作スイッチを取り付け、
前記操作スイッチの操作入力と連動する音声発生装置を設けたことを特徴とする。
【００１５】
この構成により、操作パネルを平板で構成することができるため操作パネル面には凹凸がなくなり、掃除性の良いレンジフードを提供できる。
【００１６】
また、現在の状態を知らせるために前記音声発生装置を動作させる第二のスイッチを備えたものである。
【００１７】
スイッチ操作時の音声案内を聞き逃した場合には、このスイッチを押すことにより現在の状態を再確認することができる。
【００１８】
また、前記外郭の前面に前記操作パネル以外の部分に運転状態を表示する表示部を設けたものである。
【００１９】
以下、本発明の実施の形態について図面を参照しながら説明する。
（実施の形態１）
図１に示すように、第一の実施の形態のレンジフードは、板金製の外郭１と、前面に設けられた板金製の平板２と、平板２の表側に設けられた操作パネル３と、平板２の裏側に設けられた圧電スイッチ４と、現在の機器の状態を通知する音声発生装置５を有している。また、図示しないが、レンジフード本体には、送風機が内蔵されている。さらに、レンジフードは、レンジフードの下方を照らすようにランプが内蔵されていることもある。
【００２０】
ここで、平板２の表側とは、レンジフード本体の表面側を指し、平板２の裏側とはレンジフード本体の内側を指す。
【００２１】
また、操作パネル３は、平板２の上に電源の入り切りや運転、停止をする際に指で触れる部分を明示したものである。この操作パネル３を操作することによって、送風機の運転および強弱のノッチ変更、あるいは、ランプの点灯・消灯を行う。圧電スイッチ４は操作パネル３の各操作部が明示された箇所の裏側にそれぞれ設置する。
【００２２】
圧電スイッチ４は圧力を電圧に変換する素子である。圧電スイッチ４が配置された部分
の平板２の表側を指で触れると指の平板２への圧力により電圧が発生し、その発生した電圧によりスイッチ操作を認識するものである。
【００２３】
この圧電スイッチ４を使用すれば、他の種類のスイッチでは必要となる平板２の表面への穴加工が不要となる。
【００２４】
また、この操作パネル３は、平板２上に直接インクで記載するか、あるいは、印刷物を貼ることによって、スイッチの案内を表示させている。従って、操作パネル３の表面は、フラットで凹凸部分をなくしている。
【００２５】
また、音声で状態を通知するようにする。すなわち、操作パネル３におけるスイッチ操作に連動して、このスイッチ操作に対応した音声を音声発生装置５が出力するのである。出力する音声とは、例えば、「強設定運転」「停止」などの言葉による出力であったり、ブザー等による通知音であってもよい。ブザー等による通知音とは、スイッチ操作の区別を判別できるように、スイッチごとに異なる通知音を発生する。これにより光源を用いた表示部を操作パネル３に設ける必要がなくなる。
【００２６】
このように、スイッチ素子として圧電スイッチ４を用い、板金製の平板２の裏側に圧電スイッチを設けたことによって、操作パネル３をフラットにすることができ、掃除性を確保することができる。すなわち、操作パネル３は、板金製の平板２を押圧することによって、操作を行うものであるので、その操作面は平坦な板金となっている。従って、この操作面は、掃除し易く、凹凸箇所に見られるような、拭き残しなどを無くすことができる。
【００２７】
また、図２は操作パネル３の断面図を示したものである。
【００２８】
ここでは平板２は、外郭１とネジで固定する構造としているが、他の固定方法でもその効果に差異はない。あるいは、平板２を外郭１の一部としてもよい。
【００２９】
また、図３は現在の状態を音声で通知する第二のスイッチとなる現在状態案内スイッチ６を追加したものである。
【００３０】
本構成では現在状態を表示する表示部がないため、スイッチ操作時に音声案内を聞き逃すと現在の状態がわからなくなる。そこで音声で現在状態を知らせる現在状態案内スイッチ６を追加する。
【００３１】
現在状態案内スイッチ６は他のスイッチと同様に圧電スイッチとの組み合わせで使用する。
【００３２】
出力する音声とは、例えば、音声出力であれば現在の状態が「強設定運転」の場合、「現在強運転中です」というアナウンスでもよく、ブザー音であれば各状態に割り当てられた異なるブザー音の通知でもよい。
【００３３】
この構成により、操作時に音声を聞き逃しても現在状態を再確認でき、また、圧電スイッチを使用するので操作パネル３の掃除性を損なうこともない。
【００３４】
また、図４に示すように、表示部７を組み合わせても良い。表示部７は、視覚による確認を行うため、操作パネル３以外の場所に配置したものである。表示部７は視認性の良い、レンジフード本体の向かって前面に配置するものとする。
【００３５】
掃除を行っても汚れが残る可能性がある表示部７を操作パネル３から外すことで、現在
の機器の状態表示を光源で行いつつ操作パネル３の掃除性を確保することができる。
【００３６】
また、図５に表示部７を設けたときの操作パネルの断面図を示す。
【００３７】
図５は表示部７の配置の例であり、操作パネル３以外の場所で視認性が良い箇所であればどの位置に配置してもかまわない。
【産業上の利用可能性】
【００３８】
本発明のレンジフードは掃除性に優れたレンジフードを提供できるため家庭用の用途のほか、食堂やホテルなどの業務用の用途などにも適用できる。
【符号の説明】
【００３９】
１  外郭
２  平板
３  操作パネル
４  圧電スイッチ
５  音声発生装置
６  現在状態案内スイッチ
７  表示部
【図１】
2016070626.tif 000003
【図２】
2016070626.tif 000004
【図３】
2016070626.tif 000005
【図４】
2016070626.tif 000006
【図５】
2016070626.tif 000007
【図６】
2016070626.tif 000008
【図７】
2016070626.tif 000009